(57)【要約】      （修正有）【課題】高い密封性を保ち、また、美観を損なうことなく、蓋体を容易に取り外すことができる密封容器を提供する。【解決手段】容器本体１の開口部に押し込み冠着される蓋体２は、外周面部に指掛け部５を備えている。指掛け部５は、蓋体２の外周面部と天板面部とが連設する外周面部の上縁側における外周の一部に、当該外周面部を握る手Ｂの親指ｂを掛止させる突出高さおよび突出形状に形成されている。【選択図】図３
0003193470.tif 000002
【実用新案登録請求の範囲】
【請求項１】
容器本体と、
該容器本体の開口部に冠着されて当該開口部を密封する蓋体と、を備えている密封容器であって、
前記蓋体の外周面部に指掛け部を備えたことを特徴とする密封容器。
【請求項２】
前記蓋体は、前記外周面部と連設する天板面部を備えるとともに、前記容器本体の開口部の内周面に沿って設けられているパッキングに外周面を押し込み密接させる差込筒部を備え、
前記指掛け部は、前記外周面部の前記天板面部側における外周の一部に、当該外周面部を握る手の親指が掛止される突出高さおよび突出形状に形成されていることを特徴とする請求項１に記載された密封容器。
【考案の詳細な説明】
【技術分野】
【０００１】
本考案は、密封容器に係り、特に、容器本体の開口部に蓋体を押し込み冠着させて開口部を密封する密封容器に関する。
【背景技術】
【０００２】
湿気を嫌う食品（例えば、お茶、紅茶、コーヒー、海苔など）の劣化を防ぐために、高い密封性（気密性）を持たせて食品を収納保存（密封保存）する密封容器（密閉容器）としては用途に応じた種々のタイプが知られている。
例えば、本出願人が先に提案している特許文献１に記載の密封容器などが知られている。この密封容器は、筒状に形成されている容器本体の開口部の内周面に沿って取り付けられているパッキングに、蓋体側の差込筒部の外周面を弾性的に密接させるように蓋体を開口部に押し込み冠着させることで、高い密封性にて容器本体の開口部に蓋体を取り付けて当該開口部を閉じる密封構造としている。
【先行技術文献】
【特許文献】
【０００３】
【特許文献１】実公平０７−２００５０号公報
【考案の概要】
【考案が解決しようとする課題】
【０００４】
しかしながら、特許文献１に記載の従来技術では、高い密封性を得るために、容器本体側のパッキングに対して蓋体側の差込筒部を強固に密接（圧接）させていることで、蓋体の外周面部を握りしめて蓋体を取り外すとき、蓋体をなかなか取り外す（引き開ける）ことができないという使用上の不便性が危惧されていた。特に、握力が弱い使用者などにとっては指が滑るなどによって取り外し操作が安定せずに手間がかかるという問題が残されていた。また、蓋体がなかなか取り外せないという煩わしさから、蓋体を取り外した（引き開けた）瞬間に容器本体内の保存食品が飛び散ってテーブルや床などを汚すなどの悪循環を引き起こすおそれがあった。
【０００５】
本考案は、このような問題に対処することを課題の一例として創案されたものであり、容器本体の開口部に蓋体を冠着させることで、当該開口部を密封する構成の密封容器であって、高い密封性を保ち、また、美観を損なうことなく、蓋体を容易に取り外すことができるように改良された密封容器を提供すること、などを目的とする。
【課題を解決するための手段】
【０００６】
前記課題を解決するために、本考案に係る密封容器では以下の構成を少なくとも具備している。
【０００７】
容器本体と、該容器本体の開口部に冠着されて当該開口部を密封する蓋体とを備えている密封容器であって、前記蓋体の外周面部に指掛け部を備えたことを特徴とする。
ここで、前記蓋体は、前記外周面部と連設する天板面部を備えるとともに、前記容器本体の開口部の内周面に沿って設けられているパッキングに外周面を押し込み密接させる差込筒部を備えていること、また、前記指掛け部は、前記外周面部の前記天板面部側における外周の一部に、当該外周面部を握る手の親指が掛止される突出高さおよび突出形状に形成されていること、などの構成を採用することが好ましい。
【０００８】
このような構成によれば、容器本体の開口部を密封する蓋体を取り外すとき、蓋体の外周面部を握る。このとき、一方の手で容器本体を握り押さえ、外周面部を握るもう一方の手の指、例えば、親指を指掛け部に掛止させ、この状態で、親指側を斜め上方へと押し上げるようにして指掛け部を引き上げる。つまり、蓋体を握る手を、指掛け部に掛止させた親指側から持ち上げるように捩じる。すると、容器本体の開口部より指掛け部側から蓋体を引き開くようにして取り外すことができる。
【考案の効果】
【０００９】
本考案によれば、容器本体の開口部から蓋体を容易に取り外すことができ、また、指が滑ることなく、取り外し操作を安定して行うことができる。
また、蓋体の外周面部に備えた指掛け部は、外周面部を握る手の親指を掛止させることができる程度の突出高さと突出形状にて外周の一部に設ければよく、指掛け部の存在によって蓋体自体の美観を損なうこともない。
したがって、高い密封性を保持しながら、容器本体から蓋体を容易、かつ、安定して取り外すことができるようにしたことで、使用者に対して取扱い性の改善が図られた有効な密封容器として提供することができる。
【図面の簡単な説明】
【００１０】
【図１】本考案の実施形態に係る密封容器を概略的に示す説明図で、（ａ）は、容器本体の一部を縦断面して開口部を蓋体により密封した状態を示し、（ｂ）は、容器本体の開口部から蓋体を取り外した状態を示す。
【図２】蓋体の一例を示し、（ａ）は、斜め側方から見たときの斜視図であり、（ｂ）は、要部（外周面部の指掛け部部分）の拡大斜視図である。
【図３】容器本体の開口部を密封する蓋体の外周面部を握る手の親指を指掛け部に掛止させた状態を示す説明図である。
【図４】容器本体の開口部から蓋体が取り外された状態を示す説明図である。
【考案を実施するための形態】
【００１１】
以下、図面を適宜参照しながら、本考案の密封容器Ａについて詳細に説明する。本考案の実施形態は図示の形態を含むが、これに特に限定されるものではない。
【００１２】
≪密封容器Ａの説明≫
図１は、本考案の実施形態に係る密封容器（密閉容器）Ａを概略的に示す説明図である。
密封容器Ａは、容器本体１と蓋体２とからなり、蓋体２を容器本体１の開口部３に押し込むように冠着させることで、開口部３を密封（密閉）するように構成されている。
【００１３】
≪容器本体１の説明≫
容器本体１は、図１に示すように、有底筒状に形成された胴部を備え、蓋体２が押し込み冠着される開口部３の内周面に沿わせてリング形状のパッキング４を備えている。
パッキング４は、蓋体２が容器本体１の開口部３に押し込み冠着されたときに、蓋体２の後記する差込筒部２ｂの外周面により外方（容器本体１の内周面側）へと押し広げつつ当該外周面に弾性的に密接する内径で、適宜厚さとリング幅（高さ）を有するリング形状に形成されている。このパッキング４は、例えば、図１に示すように、リング上端側が開口部３の内側に折り返される縁部の食込みによって係止固着されることで、開口部３の内周面に沿って取り付けられる。
【００１４】
≪蓋体２の説明≫
図２は、蓋体２の一例を示す斜視図および要部の拡大斜視図である。
蓋体２は、蓋部２ａと、この蓋部２ａの下面部に同軸上に設けられる差込筒部２ｂとを備えている。
蓋部２ａは、容器本体１の胴部外径と同じ外径で適宜の厚さ（円筒高さ）を有する外周面部２ａ−１と、この外周面部２ａ−１と一体に連設、または、別途に形成されて一体的に組み込み連設する天板面部２ａ−２とからなり、外周面部２ａ−１に指掛け部５を備えている。
差込筒部２ｂは、蓋体２が容器本体１の開口部３に押し込み冠着されるとき、開口部３内周面のパッキング４を外方（容器本体１の内周面側）へと押し広げつつパッキング４内に差し込まれることで、パッキング４が外周面に弾性的に密接（圧接）する筒外径に形成されている。
【００１５】
≪指掛け部５の説明≫
指掛け部５は、高い密封性（気密性）を得るために、容器本体１側のパッキング４に対して蓋体２側の差込筒部２ｂを強固に密接させた状態で容器本体１の開口部３に取り付けられる蓋体２を取り外すとき、蓋体２の外周面部２ａ−１を握る手の指を掛止させることで、滑ることなく外周面部２ａ−１をしっかりと握り、安定して容易に蓋体２を取り外すことができるように補助する役目を成す。
この指掛け部５は、図２および後記の図３に示すように、蓋体２の外周面部２ａ−１の天板面部２ａ−２側、図示例では外周面部２ａ−１の上縁側における外周の一部に、外周面部２ａ−１を握る手Ｂの親指ｂが掛止される突出高さおよび突出形状にて凸状に形成されている。
【００１６】
なお、具体的な窪み（凹み）形状について図示を省略しているが、指掛け部５の親指ｂが掛止される下面内側に窪みなどを設けることにより、親指ｂの腹部分（腹側部）が食い込むように掛止される。つまり、親指ｂの指掛け部５に対する掛止状態をより安定させることができるなどの効果を期待することが可能となる。
【００１７】
［作用説明］
つぎに、以上のように構成されている本実施形態に係る密封容器Ａにおける蓋体２の取り外し方について簡単に説明する。
図３は、容器本体１の開口部３を密封する蓋体２の外周面部２ａ−１を握る手Ｂの親指ｂを指掛け部５に掛止させた状態を示す説明図であり、図４は、容器本体１の開口部３から蓋体２が取り外された状態を示す説明図である。ここでは、図１を適宜参照しつつ説明する。
図１に示す容器本体１の開口部３を密封する蓋体２を取り外すとき、図３に示すように、外周面部２ａ−１を握る一方の手Ｂの親指ｂを指掛け部５に掛止させる。このとき、もう一方の手で容器本体１を握り押さえ、この状態で、指掛け部５に掛止させた親指ｂ側を斜め上方へと引き上げるようにして指掛け部５を押し上げる。つまり、蓋体２を握る手Ｂを、指掛け部５に掛止させた親指ｂ側から持ち上げるように捩じる。すると、容器本体１の開口部３を密封する蓋体２は、図４に示すように、指掛け部５側から引き開くようにして開口部３から取り外される。
【００１８】
このように、本実施形態の係る密封容器Ａによれば、蓋体２の取り外しに手間をかけることなく、蓋体２を容器本体１の開口部３から容易、かつ、安定して取り外すことができることで、使用者に対して取扱い性の改善が図られた有効なものと成し得る。
また、蓋体２の外周面部２ａ−１に備えた指掛け部５は、外周面部２ａ−１を握る手Ｂの親指ｂを掛止させることができる程度の突出高さと突出形状にて外周の一部に設ければよく、指掛け部５の存在によって蓋体２自体の美観を損なうこともなく、蓋体２を容器本体１の開口部３から容易、かつ、安定して取り外すことができる。
【００１９】
なお、容器本体１の開口部３からの蓋体２の取り外し方は、図３および図４に示す前記した手法に限定されるものではなく、例えば、容器本体１を両手で握り押さえて両手の親指を指掛け部５に掛止させる。指掛け部５に掛止させた両親指で指掛け部５を下から突き上げて蓋体２を指掛け部５側から押し開くようにして取り外すこともできる。この場合、指掛け部５は、両手の親指を掛止させることができる突出形状に形成することが好ましい。すなわち、蓋体２の外周面部２ａ−１の外周方向の凸状幅を両手の親指を掛止させることができるように形成することが好ましい。
【００２０】
以上、本考案の実施形態について図面を参照して詳述してきたが、具体的な構成はこれらの実施形態に限られるものではなく、実用新案登録請求の範囲に記載の本考案の要旨を逸脱しない範囲の設計の変更などがあっても本考案に含まれる。
【００２１】
例えば、指掛け部を蓋体の外周面部に凹状に備えることができる。また、蓋体の外周面部を握る手の３本または５本全ての指を掛止させることができるように、凸状または凹状の指掛け部を外周面部の外周数カ所に備えることができる。この場合、使用者の手の大きさにもよるが、外周面部の理想的な箇所に指を掛けて外周面部をしっかりと握ることができる外周部分に指掛け部を備えることが好ましい。
また、必要に応じて指掛け部に指の滑りを防ぐ適宜の滑り止め（例えば、凸凹模様や梨地模様などからなる滑り止め）を施すこともできる。
【符号の説明】
【００２２】
Ａ      密封容器
１      容器本体
２      蓋体
２ａ    蓋部
２ａ−１  外周面部
２ａ−２  天板面部
２ｂ    差込筒部
３      開口部
４      パッキング
５      指掛け部
【図１】
0003193470.tif 000003
【図２】
0003193470.tif 000004
【図３】
0003193470.tif 000005
【図４】
0003193470.tif 000006